(57)【要約】【課題】グランド電極を送受信電極から極力離して電界を効率的に電界伝達媒体に誘起し、不要な電界を大地グランドに逃がし、通信品質の向上を図ったトランシーバを用いたデータ通信装置およびデータ通信装置収納用かばんを提供する。【解決手段】データ通信装置１００はトランシーバ３１、携帯端末３３、およびグランド電極３５を収容したかばん本体のような構造を有する非接触部位３０および非接触部位３０を吊り下げるように接続部４０を介して接続されたかばんの把持部のような構造を有する接触部位５０から構成され、接触部位５０は絶縁体で形成され、この接触部位５０を把持する手などに電界を誘起し、手などに誘起された電界を受信する送受信電極５１を非接触部位３０内のグランド電極３５から最も離すように接触部位５０の上面に貼り付けるなどして形成し、送受信電極５１から手などに電界を効率良く誘起する。【選択図】　　　図１
2004128606.tif 000002
【特許請求の範囲】
【請求項１】
送信すべき情報に基づく電界を電界伝達媒体に誘起し、この誘起した電界を用いて情報の送受信を行うトランシーバを用いたデータ通信装置であって、
絶縁体で形成され、電界伝達媒体が接触する接触部位と、
この接触部位に形成され、電界伝達媒体に対して電界を誘起し、電界伝達媒体に誘起された電界を受信する送受信電極と、
絶縁体で形成され、電界伝達媒体が接触しない非接触部位と、
絶縁体で形成され、前記接触部位と非接触部位を接続し、接触部位と非接触部位間で電界を伝わりにくくする接続部と、
前記非接触部位に配設され、前記送受信電極に接続され、送受信電極を介して電界によりデータ通信を行うトランシーバと、
前記非接触部位に配設され、前記トランシーバに接続され、トランシーバに送信データを供給し、トランシーバから受信データを受け取るコンピュータと、
前記非接触部位内に配設され、トランシーバ内の電気光学素子に電界を効率的に結合させる機能およびトランシーバの電気回路のグランドを強化する機能を有するグランド電極と
を有することを特徴とするデータ通信装置。
【請求項２】
絶縁体で形成され、物を収容するかばん本体と、
絶縁体で形成され、かばん本体を吊り下げるために把持される把持部と、
絶縁体で形成され、かばん本体と把持部を接続し、かばん本体と把持部間で電界を伝わりにくくする接続部と、
把持部に形成され、把持部に接触する電界伝達媒体に対して電界を誘起し、電界伝達媒体に誘起された電界を受信する送受信電極と、
かばん本体または把持部または送受信電極に設けられ、送受信電極を他の電気部品に接続するための送受信電極用接続部と、
かばん本体に配設され、他の電気部品に接続するためのグランド電極用接続部を有するグランド電極と
を有することを特徴とするデータ通信装置収納用かばん。
【請求項３】
前記送受信電極用接続部およびグランド電極接続部は、配線を接続するための端子またはコネクタを有することを特徴とする請求項２記載のデータ通信装置収納用かばん。
【請求項４】
かばん本体内に設けられ、トランシーバ、コンピュータおよび電気装置のいずれか１つ以上を固定するための固定金具を有することを特徴とする請求項２または３記載のデータ通信装置収納用かばん。
【発明の詳細な説明】
【０００１】
【発明の属する技術分野】
本発明は、送信すべき情報に基づく電界を電界伝達媒体に誘起し、この誘起した電界を用いて情報の送受信を行うトランシーバを用いたデータ通信装置およびこのようなデータ通信装置などを収容することができるデータ通信装置収納用かばんに関する。
【０００２】
【従来の技術】
携帯端末の小型化および高性能化によりウェアラブルコンピュータが注目されてきているが、図７はこのようなウェアラブルコンピュータを人間に装着して使用する場合の例を示している。同図に示すように、ウェアラブルコンピュータ１はそれぞれトランシーバ３を介して人間の腕、肩、胴体などに装着されて互いにデータの送受信を行うとともに、更に壁や床などに設けられて手足の先端で触れられるトランシーバ３ａ，３ｂとケーブルとを介して外部に設けられたパソコン（ＰＣ）５とケーブルを介して通信を行うようになっている。
【０００３】
このようにウェアラブルコンピュータ１はトランシーバ３を介して生体である人間に装着してデータ通信を行うが、このトランシーバ３ではウェアラブルコンピュータ１からの送信データを電界として電界伝達媒体である生体に誘起し、図７において波線で示すように電界として生体の他の部位に伝達し、また生体に誘起され伝達されてくる電界を受信データとしてトランシーバ３で受信してウェアラブルコンピュータ１に送るようになっている。
【０００４】
トランシーバ３は、図８に示すように構成され、ウェアラブルコンピュータ１からの送信データを入出力（Ｉ／Ｏ）回路１０１を介して受け取ると、この送信データを送信回路１０３を介して送受信電極１０５に供給し、該送受信電極１０５から絶縁膜１０７を介して電界伝達媒体である生体１００に電界を誘起させ、この電界を生体１００を介して生体１００の他の部位に伝達させる。
【０００５】
また、トランシーバ３は、生体１００の他の部位に装着された別のトランシーバ３から生体１００に誘起させられて伝達されてくる電界を絶縁膜１０７を介して送受信電極１０５で受信し、この受信した電界を電界検出光学部１１０に結合して電気信号に変換する。この電気信号は、信号処理回路１１３で増幅、雑音除去などの信号処理を施され、更に波形整形回路１１５で波形整形されデジタル信号に変換されてから、入出力回路１０１を介してウェアラブルコンピュータ１に供給されるようになっている。
【０００６】
上記トランシーバ３の電界検出光学部１１０は、生体１００に誘起されて伝達され、絶縁膜１０７、送受信電極１０５を介して結合される電界を検出し、電気信号に変換して信号処理回路１１３に出力するように機能するものであるが、詳しくは図９に示すように構成されている。
【０００７】
図９に示す電界検出光学部１１０は、レーザ光と電気光学結晶を用いた電気光学的手法により電界を検出するものであり、レーザ光源を構成するレーザダイオード１２１および電気光学結晶からなる電気光学素子１２３を有する。なお、電気光学素子１２３は、レーザダイオード１２１からのレーザ光の進行方向に対して直角方向に結合される電界に感度を有し、この電気強度によって光学特性、すなわち複屈折率が変化し、この複屈折率の変化によりレーザ光の偏光が変化するようになっている。
【０００８】
電気光学素子１２３の図上で上下方向に対向する両側面には第１および第２電極１２５，１２７が設けられている。なお、この第１および第２電極１２５，１２７は、レーザダイオード１２１からのレーザ光の電気光学素子１２３内における進行方向を両側から挟み、レーザ光に対して電界を直角に結合させるようになっている。
【０００９】
電界検出光学部１１０は、図８に示したと同じ送受信電極１０５を有し、この送受信電極１０５は第１電極１２５に接続されている。また、第１電極１２５に対向する第２電極１２７は、第１グランド電極１３１に接続され、第１電極１２５に対してグランド電極として機能するように構成されている。送受信電極１０５は、生体１００に誘起されて伝達されてくる電界を検出すると、この電界を第１電極１２５に伝達し、第１電極１２５を介して電気光学素子１２３に結合するようになっている。
【００１０】
レーザダイオード１２１から出力されるレーザ光は、コリメートレンズ１３４を介して平行光にされ、平行光となったレーザ光は第１波長板１３５で偏光状態を調整されて電気光学素子１２３に入射する。電気光学素子１２３に入射したレーザ光は、電気光学素子１２３内で第１、第２電極１２５，１２７の間を伝播するが、このレーザ光の伝播中において上述したように送受信電極１０５が生体１００に誘起されて伝達されてくる電界を受け、この電界が第１電極１２５を介して電気光学素子１２３に結合すると、この電界は第１電極１２５から第１グランド電極１３１に接続されている第２電極１２７に向かって形成されて、レーザダイオード１２１から電気光学素子１２３に入射したレーザ光の進行方向に直角であるため、電気光学素子１２３の光学特性である複屈折率が変化し、これによりレーザ光の偏光が変化する。
【００１１】
このように電気光学素子１２３において第１電極１２５からの電界によって偏光が変化したレーザ光は、第２波長板１３７で偏光状態を調整されて偏光ビームスプリッタ１３９に入射する。偏光ビームスプリッタ１３９は、第２波長板１３７から入射されたレーザ光をＰ波およびＳ波に分離して、光の強度変化に変換する。この偏光ビームスプリッタ１３９でＰ波成分およびＳ波成分に分離されたレーザ光は、それぞれ第１、第２集光レンズ１４１ａ，１４１ｂで集光されてから、第１、第２フォトダイオード１４３ａ，１４３ｂに供給され、第１、第２フォトダイオード１４３ａ，１４３ｂにおいてＰ波光信号とＳ波光信号をそれぞれの電気信号に変換して出力するようになっている。
【００１２】
上述したように第１、第２フォトダイオード１４３ａ，１４３ｂから出力される電気信号は、図８に示す信号処理回路１１３で増幅、雑音除去などの信号処理を施されてから、波形整形回路１１５で波形整形され、入出力回路１０１を介してウェアラブルコンピュータ１に供給されることになる。
【００１３】
なお、上述したように構成される従来のトランシーバは、送受信電極１０５がトランシーバ本体と一体的に構成されたり、電気光学素子１２３用のグランド電極や回路用のグランド電極を特に設けないか、設けてもトランシーバ本体と一体的に構成されている。
【００１４】
【特許文献１】
特開２００１−３５２２９８号公報
【００１５】
【特許文献２】
特開２００１−２９８４２５号公報
【００１６】
【発明が解決しようとする課題】
上述した従来のトランシーバにおいて、送受信電極１０５から生体１００に注入された電界のすべてが生体１００を通って他のトランシーバの送受信電極１０５から電界検出光学部１１０の電気光学素子１２３に伝達されればよいが、従来のトランシーバは送受信電極１０５がトランシーバ本体と一体的に構成されたり、電気光学素子１２３用のグランド電極や回路用のグランド電極を特に設けないか、設けてもトランシーバ本体と一体的に構成されているため、生体１００に注入された電界は、生体１００から大地グランドに漏れる以外に、トランシーバの各グランド電極などから混入する不要な電磁波や逆位相の電界などと打ち消し合ったりして、生体１００に誘起される電界や電気光学素子１２３に結合される電界が低下し、通信品質が劣化するという問題がある。
【００１７】
また、トランシーバは電気光学素子１２３にグランド電極を設けなくても動作するが、グランド電極を設けない場合には、電気光学素子１２３に結合される電界が低下して通信品質が劣化するという問題がある。
【００１８】
更に、トランシーバの送信回路１０３、信号処理回路１１３、波形整形回路１１５などの回路にグランド電極を設けない場合には、回路のグランドが揺れて生体に誘起される電界強度が低下して通信品質が劣化するという問題がある。
【００１９】
また更に、例えばトランシーバを介してウェアラブルコンピュータを腕などにそれぞれ装着した２人の人物が握手しながら両者のウェアラブルコンピュータ間でトランシーバを介してデータ通信しようとすると、従来のトランシーバでは送受信電極がトランシーバ本体と一体的に構成されたり、電気光学素子１２３用のグランド電極や回路用のグランド電極を特に設けないか、設けてもトランシーバ本体と一体的に構成されているため、トランシーバから生体に誘起された電界のうち２人分の電界が両者の足から大地に逃げてしまい、相手のトランシーバに伝達される電界量が低下して通信品質が劣化するという問題があり、このような問題を解決し得るようなトランシーバを作製しようとすると、高価な部品を多数使用する必要があり、非常に高価になってしまうという問題がある。
【００２０】
本発明は、上記に鑑みてなされたもので、その目的とするところは、グランド電極を送受信電極から極力離して電界を効率的に電界伝達媒体に誘起し、不要な電界を大地グランドに逃がし、通信品質の向上を図ったトランシーバを用いたデータ通信装置およびこのような装置を収容し得るデータ通信装置収納用かばんを提供することにある。
【００２１】
【課題を解決するための手段】
上記目的を達成するため、請求項１記載の本発明は、送信すべき情報に基づく電界を電界伝達媒体に誘起し、この誘起した電界を用いて情報の送受信を行うトランシーバを用いたデータ通信装置であって、絶縁体で形成され、電界伝達媒体が接触する接触部位と、この接触部位に形成され、電界伝達媒体に対して電界を誘起し、電界伝達媒体に誘起された電界を受信する送受信電極と、絶縁体で形成され、電界伝達媒体が接触しない非接触部位と、絶縁体で形成され、前記接触部位と非接触部位を接続し、接触部位と非接触部位間で電界を伝わりにくくする接続部と、前記非接触部位に配設され、前記送受信電極に接続され、送受信電極を介して電界によりデータ通信を行うトランシーバと、前記非接触部位に配設され、前記トランシーバに接続され、トランシーバに送信データを供給し、トランシーバから受信データを受け取るコンピュータと、前記非接触部位内に配設され、トランシーバ内の電気光学素子に電界を効率的に結合させる機能およびトランシーバの電気回路のグランドを強化する機能を有するグランド電極とを有することを要旨とする。
【００２２】
請求項１記載の本発明にあっては、接触部位に送受信電極を配設し、接触部位との間で接続部により電界が伝わりにくくした非接触部位にトランシーバ、コンピュータ、グランド電極を配設し、コンピュータからトランシーバおよび送受信電極を介して電界でデータ通信を行うため、接触部位と非接触部位を例えばかばんの手で持つ把持部と物を収容するかばん本体とすると、グランド電極は大地に近いかばん本体に収容され、把持部を人が持ってコンピュータとトランシーバを携帯しながら生体を電界伝達媒体として送受信電極を介してコンピュータとトランシーバから電界通信を行うことができ、この場合において送受信電極とコンピュータ、トランシーバおよびグランド電極とは電界が伝達し難いように分けられかつ離されて別々に収容されているということにより、トランシーバ、コンピュータ、グランド電極などからの不要な電磁波や逆位相の電界などは大地グランドに逃がされ、このような不要な電磁波や逆位相の電界などが送受信電極に混入することが著しく低減され、これにより送受信電極における電界が低減することが防止され、送受信電極は必要な電界を効率良く生体に誘起でき、データ通信を適確に行うことができ、通信品質を向上することができる。
【００２３】
また、請求項２記載の本発明は、絶縁体で形成され、物を収容するかばん本体と、絶縁体で形成され、かばん本体を吊り下げるために把持される把持部と、絶縁体で形成され、かばん本体と把持部を接続し、かばん本体と把持部間で電界を伝わりにくくする接続部と、把持部に形成され、把持部に接触する電界伝達媒体に対して電界を誘起し、電界伝達媒体に誘起された電界を受信する送受信電極と、かばん本体または把持部または送受信電極に設けられ、送受信電極を他の電気部品に接続するための送受信電極用接続部と、かばん本体に配設され、他の電気部品に接続するためのグランド電極用接続部を有するグランド電極とを有することを要旨とする。
【００２４】
請求項２記載の本発明にあっては、絶縁体で形成されたかばん本体にグランド電極を配設し、このかばん本体を吊り下げるためのかばん本体との間で電界が伝わりにくいように構成した把持部に送受信電極を配設してデータ通信装置収納用かばんを構成しているため、かばん本体にトランシーバとコンピュータを別途収容し、トランシーバを送受信電極およびグランド電極に接続することにより、把持部を人が持ってコンピュータとトランシーバを携帯しながら生体を電界伝達媒体として送受信電極を介してコンピュータとトランシーバから電界通信を行うことができ、この場合において送受信電極とコンピュータ、トランシーバおよびグランド電極とは電界が伝達し難いように分けられかつ離されて別々に収容されているということにより、トランシーバ、コンピュータ、グランド電極などからの不要な電磁波や逆位相の電界などは大地グランドに逃がされ、このような不要な電磁波や逆位相の電界などが送受信電極に混入することが著しく低減され、これにより送受信電極における電界が低減することが防止され、送受信電極は必要な電界を効率良く生体に誘起でき、データ通信を適確に行うことができ、通信品質を向上することができるというデータ通信装置収納用かばんを提供でき、このデータ通信装置収納用かばんは特定のトランシーバやコンピュータを特に最初から備えていないので、利用者が既に所有しているトランシーバやコンピュータを使用したり、更には予め備え付けられているものでなく、利用者の用途に応じて選択した任意のトランシーバやコンピュータを適宜取り付けて使用することができ、利便性を向上することができる。
【００２５】
更に、請求項３記載の本発明は、請求項２記載の発明において、前記送受信電極用接続部およびグランド電極接続部が、配線を接続するための端子またはコネクタを有することを要旨とする。
【００２６】
請求項３記載の本発明にあっては、送受信電極用接続部およびグランド電極接続部は端子またはコネクタを有するため、この端子やコネクタを用いて、送受信電極やグランド電極をトランシーバに容易に取り付けることができる。
【００２７】
請求項４記載の本発明は、請求項２または３記載の発明において、かばん本体内に設けられ、トランシーバ、コンピュータおよび電気装置のいずれか１つ以上を固定するための固定金具を有することを要旨とする。
【００２８】
請求項４記載の本発明にあっては、トランシーバ、コンピュータおよび電気装置のいずれか１つ以上を固定するための固定金具を有するため、トランシーバ、コンピュータ、電気装置などのような装置をかばん本体内に取り付け易い。
【００２９】
【発明の実施の形態】
以下、図面を用いて本発明の実施の形態を説明する。図１は、本発明の一実施形態に係るデータ通信装置の構成を示す図である。
【００３０】
同図に示す実施形態のデータ通信装置１００は、図８に示したものとほぼ同じように構成されるトランシーバ３１、このトランシーバ３１に接続され、その入出力回路を介して接続されたコンピュータなどの携帯端末３３、およびトランシーバ３１用のグランド電極３５を収容した例えばかばん本体のような構造を有する非接触部位３０と、この非接触部位３０を吊り下げるように接続部４０を介して接続された例えば手で把持され得るかばんの把持部のような構造を有する接触部位５０とから構成されている。
【００３１】
接触部位５０は、絶縁体で形成され、電界伝達媒体を構成する生体の手などで把持されるものであるが、この生体に対して電界を誘起し、生体に誘起された電界を受信する送受信電極５１を図１では非接触部位３０内のグランド電極３５から最も離すように接触部位５０の上面に貼り付けるなどして形成し、これにより送受信電極５１から生体に電界を効率良く誘起するようにしている。
【００３２】
また、この送受信電極５１の上には生体が直接、送受信電極５１に触れないようにするための絶縁膜５３が設けられている。この送受信電極５１は、リード線を介して非接触部位３０内に設けられたトランシーバ３１に接続されている。
【００３３】
接触部位５０と非接触部位３０を接続している接続部４０は、絶縁体で形成され、接触部位５０と非接触部位３０との間で電界を伝わりにくくするように構成されている。
【００３４】
非接触部位３０は、絶縁体で形成され、トランシーバ３１、携帯端末３３、グランド電極３５を収容しているが、グランド電極３５は接触部位５０の送受信電極５１から最も離すように非接触部位３０内において底部に配設され、これにより不要な電界を大地グランドに逃がすことができるようにしている。
【００３５】
なお、グランド電極３５は、トランシーバ３１の図９で説明した電界検出光学部１１０内の電気光学素子１２３に効率的に電界を結合するとともに、この結合した電界を効率よく引き抜く機能を有するとともに、またトランシーバ３１の図８で説明した送信回路１０３、信号処理回路１１３、波形整形回路１１５などの回路のグランドを強化する機能を有するものである。なお、図１では、１つのグランド電極３５として図示されているが、これは電気光学素子１２３用のグランド電極と回路用のグランド電極に分離されたり、または電気光学素子１２３用のグランド電極、送信回路１０３用のグランド電極、信号処理回路１１３および波形整形回路１１５からなる受信回路用のグランド電極などのように分離されていることが好ましいものである。
【００３６】
以上のように構成される本実施形態のデータ通信装置１００は、電界伝達媒体を構成する生体である人間がかばんの把持部のような構造の接触部位５０を手で把持して使用され、例えば生体の他の部位である胴体などにトランシーバを介して取り付けられている別の携帯端末などとデータ通信を行う。
【００３７】
このデータ通信では、かばん本体のような構造の非接触部位３０内に収容された携帯端末３３からの送信データはトランシーバ３１から送受信電極５１に供給され、送受信電極５１から絶縁膜５３を介して電界として生体に誘起され、他の部位に取り付けられた別のトランシーバに伝達される。また、別のトランシーバから生体を伝達してきた電界は、接触部位５０に取り付けられた送受信電極５１で受信され、トランシーバ３１に送られる。トランシーバ３１は、この電界を検出し、受信データとして携帯端末３３に供給する。
【００３８】
このようにデータ通信を行うデータ通信装置において、送受信電極５１は、接触部位５０の上面に取り付けられ、グランド電極３５は、非接触部位３０内の大地グランドに対して最も近い底部に取り付けられていて、両者は離れて配置されているため、トランシーバ３１や携帯端末３３およびグランド電極３５からの不要な電磁波や逆位相の電界などは大地グランドに逃がされ、このような不要な電磁波や逆位相の電界などが送受信電極５１に混入することが著しく低減され、これにより送受信電極５１における電界が低下することが防止され、送受信電極５１は必要な電界を効率良く生体に誘起でき、データ通信を適確に行うことができ、通信品質を向上することができる。
【００３９】
次に、図２を参照して、本発明の他の実施形態に係るデータ通信装置およびデータ通信装置収納用かばんについて説明する。
【００４０】
同図に示すデータ通信装置２００は、図１に示した非接触部位３０とほぼ同じ構成のかばん本体７１と接触部位５０とほぼ同じ構成の把持部７３からなるデータ通信装置収納用かばん７０を用いてデータ通信装置２００を構成しているものである。
【００４１】
非接触部位であるかばん本体７１は、外側全体が絶縁体９１で覆われ、内部にトランシーバ３１、携帯端末３３、グランド電極３５に加えてバッテリ３７を更に有する。なお、携帯端末３３は、例えば一般に市販されている汎用の携帯端末を使用しているものであり、通信ケーブル３９によりトランシーバ３１に接続されている。また、グランド電極３５は、把持部７３から離れて、かばん本体７１の底部に平らに配設されている。
【００４２】
また、接触部位である把持部７３は、絶縁体で形成され、人が手で把持してかばん本体７１を吊り下げて持つことができるようにかばん本体７１の上面に取り付けられている。この把持部７３には送受信電極５１が取り付けられ、この送受信電極５１はリード線５２を介してトランシーバ３１に接続されている。そして、把持部７３を人が手で把持すると、送受信電極５１に生体の一部である手が触れ、送受信電極５１から手に電界を誘起し、また生体の他の部位から伝達されて手に誘起された電界を送受信電極５１で受信し、この受信した電界をトランシーバ３１に送るようになっている。
【００４３】
なお、図示しないが、把持部７３は、図１に示した接続部４０のような機能を有する接続部を介してかばん本体７１の上面に接続されていて、これにより把持部７３とかばん本体７１の間で電界を伝わりにくくしているものであるが、この接続部は図２では外観的には見えないようになっている。また、このような接続部は設けずに、把持部７３をかばん本体７１に接続しても、本実施形態ではかばん本体７１の外側全体が絶縁体９１で覆われているので、把持部７３とかばん本体７１の間で電界が伝わりにくくなっている。
【００４４】
このようにデータ通信装置収納用かばん７０に収容されて構成されるデータ通信装置２００においては、送受信電極５１は、把持部７３に取り付けられ、グランド電極３５は、かばん本体７１内の大地グランドに対して最も近い底部に平らに取り付けられていて、両者は離れて配置されているため、トランシーバ３１や携帯端末３３、グランド電極３５などからの不要な電磁波や逆位相の電界などは大地グランドに逃がされ、このような不要な電磁波や逆位相の電界などが送受信電極５１に混入することが著しく低減され、これにより送受信電極５１における電界が低下することが防止され、送受信電極５１は必要な電界を効率良く生体に誘起でき、データ通信を適確に行うことができ、通信品質を向上することができる。
【００４５】
また、上述したように構成されるデータ通信装置２００を例えば図５に示すように２人の人物がそれぞれ片手で把持部７３を把持して持ちながら、他方の手を握手すると、両者のデータ通信装置２００間においてそれぞれの携帯端末３３からトランシーバ３１を介してデータ通信を行うことができ、この場合において本実施形態の各データ通信装置２００では送受信電極５１がグランド電極３５から遠く離れて設けられるとともに、送受信電極５１はトランシーバ３１、携帯端末３３、グランド電極３５などを収容したかばん本体７１から絶縁体９１により完全に隔離されているため、トランシーバ３１、携帯端末３３、グランド電極３５などからの不要な電磁波や逆位相の電界などは大地グランドに逃がされて送受信電極５１に混入することが著しく低減されるとともに、またトランシーバ３１から送受信電極５１を介して生体である２人の人物に誘起された電界が２人の足から大地に逃げて、電界強度が低下しても、データ通信を良好に行うことができる。なお、このように送受信電極５１とグランド電極３５を離して配置することにより、トランシーバ３１に高価な部品を多数使用することもなく、安価な部品で経済的にトランシーバ３１を構成することができる。
【００４６】
更に、図６は、図７に示したように人間の腕に取り付けられたウェアラブルコンピュータ１とトランシーバ３の代わりに図２に示したデータ通信装置２００を手に持ち、このデータ通信装置２００から手足が触れているトランシーバ３ａ，３ｂを介して外部に設けられたパソコン（ＰＣ）５とケーブルを介してデータ通信を行っている状態を図示しているものであり、このようなデータ通信においても、図５の場合と同様に、腕に取り付けたデータ通信装置２００では送受信電極５１がグランド電極３５から遠く離れて設けられるとともに、送受信電極５１はトランシーバ３１、携帯端末３３、グランド電極３５などを収容したかばん本体７１から絶縁体９１により完全に隔離されているため、トランシーバ３１、携帯端末３３、グランド電極３５などからの不要な電磁波や逆位相の電界などは大地グランドに逃がされて送受信電極５１に混入することが著しく低減され、データ通信を良好に行うことができる。
【００４７】
なお、図２に示す実施形態では、データ通信装置収納用かばん７０は、トランシーバ３１、携帯端末３３、バッテリ３７なども固定的に取り付けられてデータ通信装置２００を構成しているが、このようなトランシーバ３１、携帯端末３３、バッテリ３７などはかばん本体７１内に最初から設けられている必要はなく、データ通信装置収納用かばん７０としては、かばん本体７１、把持部７３、両者の接続部、把持部７３に設けられた送受信電極５１、この送受信電極５１を他の電気部品であるトランシーバ３１に接続するための例えば端子やコネクタなどからなる送受信電極用接続部、かばん本体７１内に配設されたグランド電極３５、およびこのグランド電極３５を他の電気部品であるトランシーバ３１に接続するための例えば端子やコネクタなどからなるグランド電極用接続部を備えていればよいものである。
【００４８】
なお、送受信電極用接続部は、送受信電極５１からリード線で配線されてかばん本体７１内に設けられてもよいし、または把持部７３に設けられてもよいし、または送受信電極５１自身に直接設けられてもよいものである。また、グランド電極用接続部はグランド電極３５自身に端子やコネクタなどを直接取り付けることなどで設けられていてもよいし、またはグランド電極３５からリード線を介して適当な場所に設けられていてもよいものである。
【００４９】
すなわち、データ通信装置収納用かばん７０は、かばん本体７１、把持部７３以外に、グランド電極３５、グランド電極用接続部、送受信電極５１、送受信電極用接続部のみを備えていればよく、利用者は、このようなデータ通信装置収納用かばん７０に利用者自身が所有しているトランシーバ、携帯端末などまたは別途購入したトランシーバや携帯端末などをかばん本体７１内に適当に配置してから、送受信電極用接続部を用いて利用者自身のトランシーバと送受信電極５１を接続し、またグランド電極用接続部を用いて利用者自身のトランシーバとグランド電極３５を接続すればよいものである。なお、このような利用者自身が所有しているトランシーバや携帯端末などをかばん本体７１内に固定的に配置し易いようにトランシーバ固定金具や携帯端末固定金具などがかばん本体７１内に適当に設けられていてもよいものである。
【００５０】
なお、上述した各実施形態では、トランシーバ３１に携帯端末３３を接続した場合について説明しているが、トランシーバ３１に接続されるものは、携帯端末３３に限られるものでなく、携帯電話、ノートパソコンなどのような種々のデータ通信装置やコンピュータを接続することができるものである。
【００５１】
次に、図３を参照して、本発明の別の実施形態に係るデータ通信装置について説明する。
【００５２】
同図に示すデータ通信装置３００は、図２で説明したデータ通信装置２００において携帯端末３３の代わりにコンピュータ３２および小型記録媒体３４を使用している点が異なるものであり、データ通信装置収納用かばん７０の構成も同じであり、同じ構成要素には同じ符号が付されている。なお、小型記録媒体３４は、例えばフラッシュメモリやハードディスクなどで構成され、データ通信装置収納用かばん７０のかばん本体７１から取り外し可能に取り付けられている。
【００５３】
このように構成されるデータ通信装置３００も図２に示したデータ通信装置２００と同様に図５や図６に示したようにデータ通信を行うことができるとともに、このデータ通信では、データ通信装置３００の送受信電極５１が図２で説明したようにグランド電極３５から遠く離されて設けられるとともに、送受信電極５１はトランシーバ３１、コンピュータ３２、小型記録媒体３４、グランド電極３５などを収容したかばん本体７１から絶縁体９１により完全に隔離されているため、トランシーバ３１、コンピュータ３２、小型記録媒体３４、グランド電極３５などからの不要な電磁波や逆位相の電界などは大地グランドに逃がされて送受信電極５１に混入することが著しく低減され、データ通信を良好に行うことができる。
【００５４】
次に、図４を参照して、本発明の更に他の実施形態に係るデータ通信装置について説明する。
【００５５】
同図に示すデータ通信装置４００は、図２で説明したと同じ構成のデータ通信装置収納用かばん７０内に上述したと同様なトランシーバ３１（本実施形態では第１トランシーバ３１と称する）、コンピュータ３２、グランド電極３５、バッテリ３７に加えて、この第１トランシーバ３１に接続された第２送受信電極３６をかばん本体７１内に新たに設け、更に別の携帯端末６１、第２トランシーバ６２、この第２トランシーバ６２の第３送受信電極６３をかばん本体７１内に収容するとともに、かばん本体７１の側壁に例えば金属などで形成された比較的大きな電界伝達媒体６５を取り付け、この電界伝達媒体６５に第１トランシーバ３１の第２送受信電極３６と第２トランシーバ６２の第３送受信電極６３を接続し、これにより電界伝達媒体６５、第２送受信電極３６、第３送受信電極６３、第１トランシーバ３１および第２トランシーバ６２を介してデータ通信装置収納用かばん７０内においてコンピュータ３２と携帯端末６１との間でデータ通信を行い得るようにしているものである。なお、把持部７３に取り付けた送受信電極５１は第１送受信電極となっている。
【００５６】
なお、このように構成されるデータ通信装置４００においても、不要な電磁波、逆位相の電界などに対する対策および効果は上述した各実施形態のデータ通信装置と同様であり、データ通信を良好に行うことができることは勿論のことである。
【００５７】
【発明の効果】
以上説明したように、本発明によれば、接触部位に送受信電極を配設し、接触部位との間で接続部により電界が伝わりにくくした非接触部位にトランシーバ、コンピュータ、グランド電極を配設し、コンピュータからトランシーバおよび送受信電極を介して電界でデータ通信を行うので、接触部位と非接触部位を例えばかばんの手で持つ把持部と物を収容するかばん本体とすると、グランド電極は大地に近いかばん本体に収容され、把持部を人が持ってコンピュータとトランシーバを携帯しながら生体を電界伝達媒体として送受信電極を介してコンピュータとトランシーバから電界通信を行うことができ、この場合に送受信電極とコンピュータ、トランシーバおよびグランド電極とは電界が伝達し難いように分けられかつ離されて別々に収容されているということにより、トランシーバ、コンピュータ、グランド電極などからの不要な電磁波や逆位相の電界などは大地グランドに逃がされ、このような不要な電磁波や逆位相の電界などが送受信電極に混入することが著しく低減され、これにより送受信電極における電界が低減することが防止され、送受信電極は必要な電界を効率良く生体に誘起でき、データ通信を適確に行うことができ、通信品質を向上することができる。
【００５８】
また、本発明によれば、絶縁体で形成されたかばん本体にグランド電極を配設し、このかばん本体を吊り下げるためのかばん本体との間で電界が伝わりにくいように構成した把持部に送受信電極を配設してデータ通信装置収納用かばんを構成しているので、かばん本体にトランシーバとコンピュータを別途収容し、トランシーバを送受信電極およびグランド電極に接続することにより、把持部を人が持ってコンピュータとトランシーバを携帯しながら生体を電界伝達媒体として送受信電極を介してコンピュータとトランシーバから電界通信を行うことができ、この場合において送受信電極とコンピュータ、トランシーバおよびグランド電極とは電界が伝達し難いように分けられかつ離されて別々に収容されているということにより、トランシーバ、コンピュータ、グランド電極などからの不要な電磁波や逆位相の電界などは大地グランドに逃がされ、このような不要な電磁波や逆位相の電界などが送受信電極に混入することが著しく低減され、これにより送受信電極における電界が低減することが防止され、送受信電極は必要な電界を効率良く生体に誘起でき、データ通信を適確に行うことができ、通信品質を向上することができるというデータ通信装置収納用かばんを提供でき、このデータ通信装置収納用かばんは特定のトランシーバやコンピュータを特に最初から備えていないので、利用者が既に所有しているトランシーバやコンピュータを使用したり、更には予め備え付けられているものでなく、利用者の用途に応じて選択した任意のトランシーバやコンピュータを適宜取り付けて使用することができ、利便性を向上することができる。
【００５９】
更に、本発明によれば、送受信電極用接続部およびグランド電極接続部は端子またはコネクタを有するので、この端子やコネクタを用いて、送受信電極やグランド電極をトランシーバに容易に取り付けることができる。
【００６０】
本発明によれば、トランシーバ、コンピュータおよび電気装置のいずれか１つ以上を固定するための固定金具を有するので、トランシーバ、コンピュータ、電気装置などのような装置をかばん本体内に取り付け易い。
【図面の簡単な説明】
【図１】本発明の一実施形態に係るデータ通信装置の構成を示す図である。
【図２】本発明の他の実施形態に係るデータ通信装置およびデータ通信装置収納用かばんの構成を示す図である。
【図３】本発明の別の実施形態に係るデータ通信装置の構成を示す図である。
【図４】本発明の更に他の実施形態に係るデータ通信装置の構成を示す図である。
【図５】図２および図３に示す実施形態のデータ通信装置の応用例を示す説明図である。
【図６】図２および図３に示す実施形態のデータ通信装置の別の応用例を示す説明図である。
【図７】トランシーバを介してウェアラブルコンピュータを人間に装着して使用する場合の例を示す説明図である。
【図８】ウェアラブルコンピュータを生体に取りつけるためのトランシーバの回路構成を示すブロック図である。
【図９】図８に示すトランシーバに使用されている電界検出光学装置の構成を示す図である。
【符号の説明】
３０　非接触部位
３１，６２　トランシーバ
３２　コンピュータ
３３，６１　携帯端末
３４　小型記録媒体
３５　グランド電極
３６，５１，６３　送受信電極
３７　バッテリ
４０　接続部
５０　接触部位
５３　絶縁膜
６５　電界伝達媒体
７０　データ通信装置収納用かばん
７１　かばん本体
７３　把持部
９１　絶縁体
１００，２００，３００，４００　データ通信装置
【図１】
2004128606.tif 000003
【図２】
2004128606.tif 000004
【図３】
2004128606.tif 000005
【図４】
2004128606.tif 000006
【図５】
2004128606.tif 000007
【図６】
2004128606.tif 000008
【図７】
2004128606.tif 000009
【図８】
2004128606.tif 000010
【図９】
2004128606.tif 000011